(57)【要約】【課題】電極間に電圧を印加して金属イオンを生成するイオン溶出ユニットを備え、前記金属イオンが添加された水（以下、「金属イオン水」と言う。）を使用する洗濯機において、従来よりも短い時間で洗濯を終了できる洗濯機を提供する。【解決手段】洗い工程、すすぎ工程、脱水工程、乾燥工程のいずれかを行う水槽２とは別に金属イオン水を貯水する貯水槽２１を設け、金属イオン水を使用する以前の工程においてあらかじめ貯水槽２１に、イオン溶出ユニット７９により生成した金属イオン水を貯水しておき、金属イオン水を使用する工程において前記貯水槽２１内の金属イオン水を水槽２に供給するようにした。【選択図】図１
2008284207.tif 000002
【特許請求の範囲】
【請求項１】
電極間に電圧を印加して金属イオンを生成するイオン溶出ユニットを備え、前記金属イオンが添加された水（以下、「金属イオン水」と言う。）を使用する洗濯機において、洗い工程、すすぎ工程、脱水工程、乾燥工程のいずれかを行う水槽とは別に前記金属イオン水を貯水する貯水槽を設け、金属イオン水を使用する以前の工程においてあらかじめ前記貯水槽に前記金属イオン水を貯水しておき、金属イオン水を使用する工程において前記貯水槽内の前記金属イオン水を前記水槽に供給するようにしたことを特徴とする洗濯機。
【請求項２】
水槽へ給水するための経路とは別に、貯水のための経路を設け、両者は貯給水選択弁により切り換えることができ、前記貯給水選択弁により給水接続口からの水を水槽へ給水するか、前記貯水槽に貯水するかの選択が可能であることを特徴とする請求項１に記載の洗濯機。
【請求項３】
前記貯給水選択弁よりも上流側に、前記イオン溶出ユニットを設けることを特徴とする請求項２に記載の洗濯機。
【請求項４】
前記貯水槽を前記水槽よりも上方に配置したことを特徴とする請求項１〜３のいずれかに記載の洗濯機。
【請求項５】
前記水槽から洗濯機外へ排水するための排水経路と、前記水槽から前記貯水槽に貯水のための貯水経路と、両経路を選択的に切り替えることのできる貯排水選択弁と、を設け、前記貯排水選択弁により水槽からの排水を洗濯機外へ排水するか、前記貯水槽に貯水するかの選択が可能であることを特徴とする請求項１〜４のいずれかに記載の洗濯機。
【請求項６】
前記貯水槽に貯水する金属イオン水の濃度は、金属イオン水を使用する工程において必要とされる金属イオンの濃度よりも高濃度とすることを特徴とする請求項１〜５のいずれかに記載の洗濯機。
【発明の詳細な説明】
【技術分野】
【０００１】
本発明は、ドラム式洗濯機、全自動洗濯機、２槽式洗濯機等、あらゆるタイプの洗濯機に関する。
【背景技術】
【０００２】
洗濯機で洗濯を行う際、水、特にすすぎ水に仕上物質を加えることが良く行われる。仕上物質として一般的なのは柔軟剤やのり剤である。これに加え、最近では洗濯物に抗菌性を持たせる仕上処理のニーズが高まっている。
【０００３】
洗濯物は、衛生上の観点からは天日干しをすることが望ましい。しかしながら近年では、女性就労率の向上や核家族化の進行により、日中は家に誰もいないという家庭が増えている。このような家庭では室内干しにたよらざるを得ない。日中誰かが在宅している家庭にあっても、雨天の折りは室内干しをすることになる。
【０００４】
室内干しの場合、天日干しに比べ洗濯物に細菌やカビが繁殖しやすくなる。梅雨時のような高湿時や低温時など、洗濯物の乾燥に時間がかかる場合にこの傾向は顕著である。繁殖状況によっては洗濯物が異臭を放つときもある。このため、日常的に室内干しを余儀なくされる家庭では、細菌やカビの繁殖を抑制するため、布類に抗菌処理を施したいという要請が強い。
【０００５】
最近では繊維に抗菌防臭加工や制菌加工を施した衣類も多くなっている。しかしながら家庭内の繊維製品をすべて抗菌防臭加工済みのもので揃えるのは困難である。また抗菌防臭加工の効果は洗濯を重ねるにつれ落ちて行く。
【０００６】
そこで、洗濯の都度洗濯物を抗菌処理しようという考えが生まれた。例えば特許文献１には、銀イオン、銅イオンなど殺菌力を有する金属イオンを発生するイオン発生機器を装備した電気洗濯機が記載されている。また、特許文献２には電界の発生によって洗浄液を殺菌するようにした洗濯機が記載されている。また、特許文献３には洗浄水に銀イオンを添加する銀イオン添加ユニットを具備した洗濯機が記載されている。
【特許文献１】実開平５−７４４８７号公報
【特許文献２】特開２０００−９３６９１号公報
【特許文献３】特開２００１−２７６４８４号公報
【発明の開示】
【発明が解決しようとする課題】
【０００７】
洗濯工程において抗菌処理を行う手法の中では、金属イオンを用いるものは、安全性が高く、残留性に富むため実用的である。脱水後、洗濯物が乾くまでの間は金属、例えば銀はイオンとして存在し、殺菌作用を発揮する。洗濯物が乾いた後は銀はイオンでなく銀塩として存在するが、再度水に濡らすと再びイオン化し、殺菌力を回復する。しかしながら金属イオンを抗菌処理に用いる場合、次の問題が発生する。
【０００８】
イオン溶出ユニットを給水経路中に設け、金属イオンを水に添加し、金属イオン水の形で用いる場合、金属イオン水の濃度はイオンの溶出速度と給水速度によって決まる。イオンの溶出速度はイオン溶出ユニットに通電される電流値によって決まるが、電気用品安全法により電圧の上限値が規定されており、イオン溶出ユニットに通電可能な電流値の上限が定まっているため、イオン溶出速度には限界がある。したがって、必要濃度の金属イオン水を得るにあたり、給水速度が制限される。
【０００９】
したがって、前記従来の洗濯機では必要濃度の金属イオン水を必要な量だけ得るには、前記給水速度で決まる一定の時間が必要となる。そのため、金属イオンの給水を要する工程には、前記給水速度で決まる一定の時間の分だけ長い時間がかかっていた。その結果、全体としての洗濯時間が長くなるという課題があった。
【００１０】
本発明はこのような課題を鑑みてなされたもので、電極間に電圧を印加して金属イオンを生成するイオン溶出ユニットを備え、前記金属イオンが添加された水を使用する洗濯機において、従来よりも短い時間で洗濯を終了できる洗濯機を提供することを目的とする。
【課題を解決するための手段】
【００１１】
前記目的を達成するために、本発明では洗濯機を次のように構成した。
【００１２】
（１）電極間に電圧を印加して金属イオンを生成するイオン溶出ユニットを備え、前記金属イオンが添加された水（以下、「金属イオン水」と言う。）を使用する洗濯機において、洗い工程、すすぎ工程、脱水工程、乾燥工程のいずれかを行う水槽とは別に前記金属イオン水を貯水する貯水槽を設け、金属イオン水を使用する以前の工程においてあらかじめ前記貯水槽に前記金属イオン水を貯水しておき、金属イオン水を使用する工程において前記貯水槽内の前記金属イオン水を前記水槽に供給するようにした。
【００１３】
この構成によれば、金属イオン水を使用する以前の工程において、あらかじめ金属イオン水を貯水槽に貯水しておくことが可能である。そのため、金属イオン水の給水に際して、必要濃度の金属イオン水を得るための余分な時間は不要であるため、結果として金属イオンの給水を要する工程、例えばすすぎ工程に要する時間を短縮できる。
【００１４】
一般に、貯水には腐敗、臭気の発生などの問題があり、貯水の利用には注意が必要であるが、本発明では、貯水に抗菌性のある金属イオンが混入されているため、細菌の繁殖が抑制され腐敗、臭気の発生が抑えられ、清潔な水を使用することができる。
【００１５】
（２）また、水槽へ給水するための経路とは別に、貯水のための経路を設け、両者は貯給水選択弁により切り換えることができ、前記貯給水選択弁により給水接続口からの水を水槽へ給水するか、前記貯水槽に貯水するかの選択が可能とした。
【００１６】
この構成によれば、貯給水選択弁の切り替えにより水槽あるいは貯水槽に注水するタイミングを自由に切り替えられるため、水槽への給水を必要としないあらゆる工程と同時に貯水槽に金属イオン水を供給することが可能になり、貯水に要する時間を独立して取る必要がない。
【００１７】
（３）また、前記貯給水選択弁よりも上流側に、前記イオン溶出ユニットを設けた。
【００１８】
この構成にすることで、給水接続口より給水された水は前記イオン溶出ユニットを通った後、選択弁により水槽もしくは貯水槽のいずれの槽にも供給可能となる。
【００１９】
（４）また、貯水槽を水槽よりも上方に配置した。
【００２０】
この構成にすることで、貯水槽の貯水は貯水槽の下部に設けられた弁を開放するだけで、重力により貯水は水槽へ供給される。したがって、水槽へ供給する際にポンプが不要のため、貯水を水槽へ供給する際にポンプにより消費される電力量が不要になり、省エネルギーに効果的である。加えて、部品点数が減りコストの削減に効果的である。
【００２１】
（５）また、前記水槽から洗濯機外へ排水するための排水経路と、前記水槽から前記貯水槽に貯水のための貯水経路と、両経路を選択的に切り替えることのできる貯排水選択弁と、を設け、前記貯排水選択弁により水槽からの排水を洗濯機外へ排水するか、前記貯水槽に貯水するかの選択が可能とした。
【００２２】
この構成にすることで、抗菌性の高い金属イオンを含んだ排水を貯水槽に貯水し、例えば、乾燥工程における除湿用の冷却水として再利用することができる。
【００２３】
排水の再利用のために排水を貯水する場合、排水に含まれる洗剤や汚れなどの有機物のために、細菌の繁殖が促進される。細菌の繁殖にともなって、貯水が腐敗すること、臭気を発生することが問題視されているが、この構成によれば、抗菌性の高い金属イオンを含んだ排水を貯水できるため、貯水の腐敗、臭気の発生が抑えられ、貯水は清潔な水として再利用できる。
【００２４】
また、オゾンなどによる貯水の除菌では、貯水の除菌だけにとどまるが、本発明によれば、金属イオン水が通る経路全体に対して抗菌できる。
【００２５】
（６）また、貯水槽に貯水する金属イオン水の濃度は、金属イオン水を使用する工程において必要とされる金属イオンの濃度よりも高濃度とした。
【００２６】
この構成によれば、前記金属イオン水は高濃度であるため、金属イオンを含まない水で薄めることによって所定濃度にし、水槽に供給する。すなわち、前記金属イオン水に加えて、給水接続口からイオン溶出ユニットを通って水槽に給水される水を、同時に水槽に給水できるため、水槽への給水時間がさらに短縮される。
【００２７】
また、この構成にすることで、前記金属イオン水に加えて、給水接続口からイオン溶出ユニットを通って水槽に給水される水を同時に水槽に供給できるため、貯水槽から水槽に供給する水の水量は、給水接続口からイオン溶出ユニットを通って水槽に給水される水を加えない場合に比べて少なくできる。したがって、貯水槽を小型にできるため、設置性向上、コスト削減に効果的である。
【発明の効果】
【００２８】
本発明によれば、金属イオン水を使用する以前の工程において、あらかじめ金属イオン水を貯水槽に貯水しておくことが可能である。そのため、金属イオン水の給水に際して、必要濃度の金属イオン水を得るための余分な時間は不要であるため、結果として金属イオンの給水を要する工程、例えばすすぎ工程に要する時間を短縮できる。
【発明を実施するための最良の形態】
【００２９】
以下、本発明を実施するための最良の形態を、図面を参照して詳細に説明する。
【００３０】
（１）第１の実施形態
図１に、本発明の第１の実施形態のドラム式洗濯乾燥機の概略断面図を示す。
【００３１】
図１に示すように、上記ドラム式洗濯乾燥機は、外箱１と、この外箱１内に配置された有底円筒形状の水槽２と、この水槽２内に回転自在に配置され、洗濯物を収容する有底円筒形状のドラム３と、水槽２の後部に取り付けられ、ドラム３を回転駆動するドラムモータ４と、洗濯物を乾燥させるための乾燥システム５と、水槽２の後部を弾性支持する２本のダンパ６（１本のみを図示）とを備えている。
【００３２】
上記外箱１の前面部には、外箱開口部１２が設けられている。この外箱開口部１２は、外箱１に回動自在に取り付けられたドア１３で開閉するようになっている。そして、上記外箱１の前面部の大部分は前パネル１４からなり、外箱１の下部は底台１５で構成されている。また、上記外箱１の上部には、洗剤、漂白剤及び柔軟剤を収容する洗剤ケース１６と、操作キーや表示部を有する操作部１７とが設けられている。この操作部１７の裏側（外箱１の内部側）には、ドラム式洗濯乾燥機の動作を制御する制御装置１８を配置している。
【００３３】
上記外箱１の上面後部には、給水接続口１９が設けられている。給水接続口１９は一端が水道の蛇口に接続され、他端には給水パイプ２０ａを介してイオン溶出ユニット７９が接続される。イオン溶出ユニット７９には給水パイプ２０ｂを介して貯給水選択弁２３の流入口が接続される。貯給水選択弁２３は後述する貯水槽２１へ貯水するか、水槽２へ給水するか、止水するかを切り替える選択弁（三方弁）である。貯給水選択弁２３の一方の流出口には給水パイプ２０ｃを介して洗剤ケース１６が接続される。貯給水選択弁２３の他方の流出口には貯水ホース２２の上端が接続され、貯水ホース２２の下端には貯水槽２１が接続される。
【００３４】
上記イオン溶出ユニット７９は、図５、図６に示すように、一対の銀製の金属プレート（電極）８２を内部に有して、洗濯物に付着させる銀イオンを流水中に生成する。また、上記イオン溶出ユニット７９の流入口８０は、給水パイプ２０ａに接続され、イオン溶出ユニット７９の流出口８１は給水パイプ２０ｂに接続されている。これにより、上記イオン溶出ユニット７９は、給水接続口１９から貯給水選択弁２３を通って貯水槽２１へ向かう水に銀イオンを添加することができる。つまり、貯水槽２１に銀イオンが添加された水（以下、「銀イオン水」という。）を貯水することができる。
【００３５】
上記水槽２の前面部には水槽開口部２５が設けられている。この水槽開口部２５の開口縁には、ゴムや軟質樹脂等の弾性体から成るパッキン２６が固着されている。これにより、上記ドア１３を閉じると、ドア１３がパッキン２６に密着するから、水槽２内の液体が水槽２外へ漏れ出るのを防げる。また、上記水槽２は、水槽開口部２５が外箱開口部１２に対向するように横向きに配置されている。より詳しくは、上記水槽２の中心軸は水平方向に対して５〜３０°の角度を成すように傾斜している。上記水槽２の上部には、洗剤ケース１６に接続された給水ダクト２７が接続されて、この給水ダクト２７から水槽２内へ洗濯水（洗剤等を含む水道水または単なる水道水）が給水される。一方、上記水槽２の下部には、水槽２内の洗濯液等を外部に排水するための排水口６９が設けられている。この排水口６９には排水ダクト２８の上端部が接続されている。
【００３６】
上記排水ダクト２８を流れた液体は、フィルタケース２９を通過した後、排水経路の一例としての排水ホース３０を流れて外箱１外に出るか、または、循環ホース７を流れて水槽２内に戻る。
【００３７】
上記循環ホース７の上端部には、水をドラム３内へ噴射する循環ノズル８が接続されている一方、循環ホース７の下端部には、フィルタケース２９の後方に位置する循環ポンプ３４に接続されている。なお、上記循環ホース７と排水ダクト２８とが循環経路の一例を構成している。
【００３８】
上記水槽２の下方には、洗い工程、すすぎ工程、脱水工程、乾燥工程のいずれかを行う水槽とは別に銀イオン水を貯水する貯水槽２１が設けられている。
【００３９】
上記貯水排出パイプ２４を流れた液体は、フィルタケース２９を通過した後、循環ホース７を流れて水槽２内に戻る。
【００４０】
上記排水ホース３０のフィルタケース２９近傍の端部には、排水弁３３が取り付けられている。この排水弁３３は排水モータ３２によって開閉されるようになっている。
【００４１】
上記ドラム３の回転軸は水平方向に対して５〜３０°の角度を成すように傾斜している。上記ドラム３の前面部には、外箱開口部１２及び水槽開口部２５に対向するドラム開口部３６が設けられている。このドラム開口部３６は水槽開口部２５よりも大きな径を有している。また、上記ドラム３の周壁全域には複数の小孔３７が設けられている。この小孔３７は、水槽２とドラム３との間の空間と、ドラム３内の空間との間で洗濯水や乾燥空気等を流通させるためのものである。また、上記ドラム３の内壁面には、半径方向内側に向かって突出するバッフル３８を設けている。このバッフル３８は、周方向に例えば１２０°間隔で３ヶ所に配置され、ドラム３の回転に伴って洗濯物の持上げと落下とを繰り返す働きをする。また、上記ドラム３のドラム開口部３６を外側から取り囲む液体バランサ３９を設けて、ドラム３の回転時に、洗濯物及び洗濯液等の偏りにより生じようとするアンバランスを、液体バランサ３９の内部における封入液体の移動によって打消すようにしている。なお、上記小孔３７が連通孔の一例である。
【００４２】
上記乾燥システム５はファンユニット４０および温風ユニット４２を有している。また、図示しないが、上記乾燥システム５は除湿用熱交換プレートも有している。
【００４３】
上記除湿用熱交換プレートは、水槽２の下部とドラム３の下部と間に配置されている。そして、上記除湿用熱交換プレートは乾燥システム５の稼働時つまり乾燥運転時に冷却水で冷却される。この冷却された除湿用熱交換プレートに、洗濯物から蒸発した水分を含む空気を接触させて、上記空気の水分を凝縮させ、上記空気の除湿を行うようになっている。
【００４４】
上記ファンユニット４０は、水槽２の後面下部に取り付けられている。また、上記ファンユニット４０は、上記除湿用熱交換プレートで除湿された空気が入るファンケース４３と、このファンケース４３内に収容された送風ファン４４と、この送風ファン４４を回転駆動するファンモータ４５とで構成されている。このファンモータ４５は送風ファン４４と直結し、ダイレクトドライブ構造によって送風ファン４４を回転駆動するようになっている。
【００４５】
上記温風ユニット４２は、乾燥用ヒータ４７と、この乾燥用ヒータ４７の大部分を収容する乾燥用ヒータケース４８と、乾燥用ヒータ４７で加熱された空気をドラム３内へ案内する送風ケース４９とから成っている。
【００４６】
上記乾燥用ヒータ４７は、除湿用熱交換プレートの側方に位置するように、水槽２の下部とドラム３の下部との間に設置されて、ファンユニット４０の吹き出し空気を加熱する。つまり、上記除湿用熱交換プレートで除湿された空気が、ファンユニット４０によって乾燥用ヒータ４７に送られ、この乾燥用ヒータ４７で加熱される。
【００４７】
上記送風ケース４９の吹出口（図示せず）は水槽開口部２５の下縁とドラム開口部３６の下縁との間に位置している。これにより、上記送風ケース４９で案内された空気は吹出口からドラム３内へ向かって吹き出す。
【００４８】
図２に、上記フィルタケース２９、上記貯水槽２１およびこの周辺部を上方から見た概略図を示す。
【００４９】
上記フィルタケース２９には循環ポンプ３４が一体に設けられている。循環ポンプ３４は、フィルタケース２９の後方に位置するポンプ室７２と、このポンプ室７２内の液体を循環ホース７へ送るポンプモータ７３とを有している。上記ポンプ室７２内の空間は接続ホース６３を介してフィルタケース２９内の空間と連通している。
【００５０】
上記貯水槽２１には、貯水排出パイプ２４が水平方向に接続されている。貯水排出パイプ２４のフィルタケース２９近傍の端部には、貯水排出弁５１が取り付けられている。この貯水排出弁５１は貯水排出モータ５２によって開閉されるようになっている。
【００５１】
図３に、上記フィルタケース２９、上記貯水槽２１およびこの周辺部を側方から見た概略図を示す。なお、上記接続ホース６３は断面で示している。
【００５２】
上記フィルタケース２９の前部（前パネル１４側の部分）には、メンテナンスカバー６２が回動自在に取り付けられている。このメンテナンスカバー６２の回動軸は水平方向に略平行であり、メンテナンスカバー６２がフィルタケース２９の下部を中心に上下方向に回動する。
【００５３】
上記ポンプ室７２には吸込口７４および吐出口７５が設けられており、吸込口７４には接続ホース６３接続ホース６３の上端部が接続され、吐出口７５には循環ホース７の下端部が接続されている。
【００５４】
図４に、上記フィルタケース２９、上記貯水槽２１およびこの周辺部を前方から見た概略図を示す。なお、上記フィルタケース２９およびこの周辺部の一部は断面で示している。
【００５５】
上記フィルタケース２９は、第１流入口６４、第２の流入口５０、第１の流出口６５および第２の流出口６６を有している。上記第１の流入口６４には排水ダクト２８の下端部が接続されている。また、上記第２の流入口５０には、貯水排出パイプ２４の下流端部が接続され、貯水槽２１から流出する液体が貯水排出パイプ２４を流れてフィルタケース２９内へ入るようになっている。また、上記第１の流出口６５には接続ホース６３の下端部が接続されて、第１の流出口６５から吐出された液体が、接続ホース６３、ポンプ室７２および循環ホース７を順次流れるようになっている（図３参照）。また、上記第２の流出口６６には排水ホース３０の一方の端部が接続されて、第１の流出口６５から吐出された液体が、排水ホース３０を流れて外箱１外へ出るようになっている。
【００５６】
上記フィルタケース２９内には、樹脂製又は金属製のリントフィルタ３１と、このリントフィルタ３１を着脱可能に支持する樹脂製の支持枠７６とが収容されている。上記支持枠７６の目はリントフィルタ３１の目より粗くなっている。また、上記支持枠７６は、リントフィルタ３１と共にフィルタケース２９から取り出すことができる。
【００５７】
上記構成のドラム式洗濯乾燥機によれば、洗い工程実施中、排水弁３３が閉じたままの状態で、循環ポンプ３４が稼働する。これにより、上記水槽２とドラム３との間の洗濯水が、図１に実線矢印で示すように、水槽２の排水口６９から水槽２外に出た後、排水ダクト２８、フィルタケース２９、循環ポンプ３４および循環ホース７を順次流れる。そして、上記循環ホース７の上端部に接続された循環ノズル８から洗浄水がドラム３内へ向かって噴出する。これにより、上記洗浄水がドラム４内の洗濯物に降り掛かるので、水槽２内に溜める洗浄水の量が少なくても、洗浄効果を高めることができる。
【００５８】
このとき、上記水槽２とドラム３との間の洗濯水がフィルタケース２９を介して循環するので、洗濯水に混ざった糸屑等の夾雑物がリントフィルタ３１で捕獲される。したがって、上記洗濯物への夾雑物の付着を防いで洗濯物の仕上がり状態を良好にできる。しかも、上記洗濯水から夾雑物を除去できるので、水槽２の排水口６９に夾雑物が溜まるのを防ぐことができる。
【００５９】
さらに洗い工程実施中に、貯給水選択弁２３の貯水ホース２４側の流出口を開き、イオン溶出ユニット７９に通電する。これにより、図１に点線矢印で示すように、給水接続口１９から給水され、イオン溶出ユニット７９を通過する水に銀イオンが溶出される。この銀イオン水は、貯給水選択弁２３、貯水パイプ２４を通って貯水槽２１に貯水される。
【００６０】
次いで、すすぎ工程の初期における水槽２への給水時に、排水弁３３を閉じたままの状態で、貯水排出弁５１が開かれ、循環ポンプ３４が稼働する。これにより、図２、図３、図４に実線矢印で示すように、貯水槽２１内の銀イオン水が、貯水排出パイプ２４、フィルタケース２９、循環ポンプ３４および循環ホース７を順次流れる。そして、上記循環ホース７の上端部に接続された循環ノズル８から銀イオン水がドラム３内へ向かって噴出する。
【００６１】
このとき、給水速度はイオン溶出の速度に関わらず、循環ポンプ３４の性能で決まる最高の速度を用いることができるため、給水時間が短縮され、結果としてすすぎ工程に要する時間が短縮される。
【００６２】
続いて、貯水排出弁５１が閉じられ、排水弁３３が閉じたままの状態で、循環ポンプ３４が稼働する。これにより、図１に実線矢印で示すように、上記水槽２とドラム３との間の銀イオンを含むすすぎ水が、水槽２の排水口６９から水槽２外に出た後、排水ダクト２８、フィルタケース２９、循環ポンプ３４および循環ホース７を順次流れる。そして、上記循環ホース７の上端部に接続された循環ノズル８から洗濯水がドラム３内へ向かって噴出する。これにより、上記銀イオンを含むすすぎ水がドラム４内の洗濯物に降り掛かるので、水槽２内に溜める洗濯水の量が少なくても、すすぎ効果を高めることができるとともに、抗菌効果を高めることができる。
【００６３】
なお、貯水槽２１に貯水する銀イオン水の濃度は使用する工程に必要最低限の濃度であってもよいし、必要以上の高濃度であってもよい。貯水槽２１に貯水する銀イオン水の濃度を必要以上の高濃度とした場合には、上記銀イオン水に加えて、給水接続口１９から洗剤ケース１６、給水ダクト２７を通って給水される水を同時に水槽２に給水できる。２経路を用いて給水することで、一経路による給水速度に他方の経路による給水速度が加算されるため、各経路単独で給水する場合に比べて給水速度は速くなる。したがって、水槽２への給水時間がさらに短縮される。
【００６４】
また、前記銀イオン水の給水に加えて、給水接続口１９から洗剤投入ケース１６、給水ダクト２７を通って水槽２内に給水できるので、一経路による給水の場合に比べて、使用する銀イオン水の量は少量になる。したがって、貯水槽２１の容量を小さくすることができ、洗濯機全体が大型化することを防ぐことができる。
【００６５】
なお、貯水槽２１は、図７に示すように、水槽２より高い位置に配置してもよい。貯水槽２１を水槽２より高い位置に配置した場合には、貯水槽２１内の金属イオン水は貯水槽２１の下部に設けられた貯水排出弁５１を開放するだけで、循環ポンプを使わずに水槽２へ供給できるため、循環ポンプによる電力の消費もなく、循環ポンプの設置による装置サイズの拡大もない。また、循環ポンプを設置しないことで、コストを削減できる。
【００６６】
（２）第２の実施形態
図８は本発明の第２の実施形態のドラム式洗濯乾燥機の概略断面図であり、図９は上記ドラム式洗濯乾燥機のフィルタケース、貯水槽およびこの周辺部を上方から見た概略図であり、図１０は上記フィルタケース、貯水槽およびこの周辺部を側方から見た概略図であり、そして、図１１は上記フィルタケース、貯水槽およびこの周辺部を前方から見た概略図である。なお、図８〜図１１において、図１〜図４に示した第１の実施形態のドラム式洗濯乾燥機の構成部と同様の構成部には、同一参照番号を付し、詳細な説明を省略する。
【００６７】
第２の実施形態では、図８、図１０に示すように、排水ダクト２８が第１、第２の排水ダクト２８ａ、２８ｂの２つに分割されており、水槽２は第１の排水ダクト２８ａを介して貯排水選択弁５３の流入口に接続されている。貯排水選択弁５３の一方の流出口には、第２の排水ダクト２８ｂが接続され、貯排水選択弁５３の他方の流出口には、排水流出パイプ５４が接続されている。排水流出パイプ５４は、図９、図１１に示すように、貯水槽２１に水平方向に接続されている。貯排水選択弁５３は、水槽２の排水口６９から流出する排水を排水流出パイプ５４に流すか（貯水槽２１へ貯水するか）、第２の排水ダクト２８ｂに流すか（排水するか）、止水するかを切り替える選択弁（三方弁）である。
【００６８】
上記構成のドラム式洗濯乾燥機によれば、すすぎ工程実施時に、上記第１の実施形態と同様に、銀イオン水を用いてすすぎを行う。そして、すすぎ工程の途中もしくは終了時に、貯水排出弁５１を閉じたままの状態で、貯排水選択弁５３を貯水流入パイプ５４側に切替える。これにより、図９〜図１１に実線矢印で示すように、上記水槽２とドラム３との間の銀イオンを含むすすぎ水が、水槽２の排水口６９から水槽２外に出た後、第１の排水ダクト２８ａ、貯排水選択弁５３を通り、貯水槽２１に貯水される。
【００６９】
そして、乾燥工程実施時に、貯水排出弁５１を開き、循環ポンプ３４を稼働する。これにより、貯水槽２１内の銀イオン水は貯水排出パイプ５０、フィルタケース２９、循環ポンプ３４、循環ホース７を通って除湿用熱交換プレート５５に給水され、乾燥時の除湿用冷却水として使用される。
【００７０】
洗濯物のすすぎに供した水には汚れ、洗剤といった有機物が含まれているため細菌が繁殖しやすく、腐敗、臭気の発生などの問題があり、再利用には注意が必要であるが、本発明では、貯水に抗菌性のある金属イオンが混入されているため、細菌の繁殖が抑制され腐敗、臭気の発生が抑えられ、清潔な水を使用することができる。
【００７１】
なお、上記の実施形態では、イオン溶出ユニットは、銀プレートを備えた銀イオン溶出ユニットとして説明したが、これに限られず、銅プレートを備えた銅イオン溶出ユニットなど、抗菌性を有する金属イオンの電極を備えたものであればよい。
【００７２】
また、上記の実施形態では、ドラム式洗濯乾燥機を例に説明したが、これに限られず、全自動洗濯機、２槽式洗濯機等、あらゆるタイプの洗濯機に適用が可能である。特に、上記第１の実施形態に具現化された、洗い工程においてあらかじめ金属イオン水を貯水槽に貯水し、すすぎ工程において貯水槽内の金属イオン水を水槽に供給するという発明思想は、乾燥機能を有する洗濯乾燥機のみならず、乾燥機能を有さない洗濯機にも適用できる。
【００７３】
また、上記の実施形態では、貯給水選択弁よりも上流側（給水接続口１９から貯給水選択弁２３へ至る給水経路）に、イオン溶出ユニットを設けた場合について説明したが、貯水槽２１に、直接、イオン溶出ユニットを設けてもよい。この構成にすることで、水槽からの排水を前記貯水槽に貯水した後、任意のタイミングで貯水に直接金属イオンを溶出することができるため、給水接続口より新たに水を供給する必要がなく、節水になる。加えて、給水接続口より水槽への給水中であっても、貯水槽にて独立して銀イオン水を作成できる。したがって、水槽への給水中であっても銀イオン水の作成を停止する必要がない。また、この構成にすることで、貯水の金属イオン濃度が小さく、貯水を十分に抗菌できない場合であっても、任意のタイミングで金属イオンを添加し、十分な抗菌性を得ることができる。
【図面の簡単な説明】
【００７４】
【図１】は、本発明の第１の実施形態のドラム式洗濯乾燥機の概略断面図である。
【図２】は、上記ドラム式洗濯乾燥機のフィルタケース、貯水槽およびこの周辺部を上方から見た概略図である。
【図３】は、上記フィルタケース、貯水槽およびこの周辺部を側方から見た概略図である。
【図４】は、上記フィルタケース、貯水槽およびこの周辺部を前方から見た概略図である。
【図５】は、イオン溶出ユニットの流水方向に沿った切断して見た概略断面図である。
【図６】は、イオン溶出ユニットの流水方向と直交する方向で切断して見た概略断面図である。
【図７】は、本発明の第１の実施形態の他の例のドラム式洗濯乾燥機の概略断面図である。
【図８】は、本発明の第２の実施形態のドラム式洗濯乾燥機の概略断面図である。
【図９】は、上記ドラム式洗濯乾燥機のフィルタケース、貯水槽およびこの周辺部を上方から見た概略図である。
【図１０】は、上記フィルタケース、貯水槽およびこの周辺部を側方から見た概略図である。
【図１１】は、上記フィルタケース、貯水槽およびこの周辺部を前方から見た概略図である。
【符号の説明】
【００７５】
１  外箱
２  水槽
３  ドラム
７  循環ホース
１９  給水接続口
２１  貯水槽
２３  貯給水選択弁
２８  排水ダクト
２８ａ  第１の排水ダクト（第２の実施形態）
２８ｂ  第２の排水ダクト（第２の実施形態）
５３  貯排水選択弁
２９  フィルタケース
３０  排水ホース
３４  循環ポンプ
７９  イオン溶出ユニット
８２  銀プレート（電極）
【図１】
2008284207.tif 000003
【図２】
2008284207.tif 000004
【図３】
2008284207.tif 000005
【図４】
2008284207.tif 000006
【図５】
2008284207.tif 000007
【図６】
2008284207.tif 000008
【図７】
2008284207.tif 000009
【図８】
2008284207.tif 000010
【図９】
2008284207.tif 000011
【図１０】
2008284207.tif 000012
【図１１】
2008284207.tif 000013